【手続補正書】
【提出日】平成29年11月1日(2017.11.1)
【手続補正１】
【補正対象書類名】明細書
【補正対象項目名】全文
【補正方法】変更
【補正の内容】
【発明の詳細な説明】
【発明の名称】手袋
【技術分野】
【０００１】
本発明は手袋に関し、特に、構造が簡単で成型が容易なだけでなく、生産効率と手袋の品質を大幅に向上することができ、簡単な粘着方式を利用して手作業による縫製のコストを抑え、またスタッフの学習曲線を短縮し、操作のばらつきを抑えることができる、手袋に関する。
【背景技術】
【０００２】
現有の手袋はその製造方法の違いに基づいて概ね射出成形手袋、縫製手袋等に分けられ、本発明は主にそのうちの縫製手袋に対して改良を加えたものである。
【０００３】
一般に縫製手袋の製作時は、まず複数の手袋裁断片を製作してから、各手袋裁断片を一つ一つ手作業または機械方式で縫製し、手袋が完成される。しかしながら、手作業または機械方式で縫製を行うと作業時間が長くなり、生産効率が低下し、かつ縫製を行うとき往々にして手作業によるミスや操作上のばらつきによって手袋の品質に影響を生じることがあり、手袋の歩留まりが低下する。このため、手作業によるミスや操作のばらつきを減らすために、スタッフの訓練を強化し、スタッフの学習曲線を高めることが必要とされるが、手作業による縫製のコストが増加してしまう。
【発明の概要】
【発明が解決しようとする課題】
【０００４】
これに鑑み、本発明の目的は、特に、構造が簡単で成型が容易なだけでなく、生産効率と手袋の品質を大幅に向上することができ、簡単な粘着方式を利用して手作業による縫製のコストを抑え、またスタッフの学習曲線を短縮し、操作のばらつきを抑えることができる、手袋を提供することにある。
【課題を解決するための手段】
【０００５】
上述の目的を達するため、本発明の手袋は第１手袋部材、第２手袋部材を含み、前記第１手袋部材が相対する第１内側表面と第１外側表面を備え、前記第２手袋部材が相対する第２内側表面と第２外側表面を備え、そのうち、前記第２内側表面が結合区域で前記第１外側表面に粘着される。または、前記第１内側表面と前記第２内側表面が収容空間を形成し、前記第２内側表面が結合区域で前記第１外側表面に粘着される。本発明の手袋は構造が簡単で成型が容易なだけでなく、生産効率と手袋の品質を大幅に向上することができ、簡単な粘着方式を利用して手作業による縫製のコストを抑え、またスタッフの学習曲線を短縮し、操作のばらつきを抑えることができる。
【０００６】
上述の技術的特徴に基づき、前記第１手袋部材と前記第２手袋部材間は連接部を介して一体として連接される。
【０００７】
本発明が提供する別の手袋は、少なくとも第１手袋部材、第２手袋部材、第３手袋部材を備え、前記第１手袋部材が相対する第１内側表面と第１外側表面を備え、前記第２手袋部材が相対する第２内側表面と第２外側表面を備え、そのうち、前記第３手袋部材が結合区域で前記第１手袋部材または前記第２手袋部材に粘着される。または、前記第１内側表面と前記第２内側表面が収容空間を形成し、前記第３手袋部材が結合区域で前記第１手袋部材または前記第２手袋部材に粘着される。
【０００８】
上述の技術的特徴に基づき、前記第１手袋部材が掌面であり、前記第２手袋部材が甲面である。または、前記第１手袋部材が甲面であり、前記第２手袋部材が掌面である。
【０００９】
上述の技術的特徴に基づき、前記第１手袋部材は少なくとも１つの裁断片を備える。または、前記第２手袋部材は少なくとも１つの裁断片を備える。
【００１０】
上述の技術的特徴に基づき、前記甲面が甲部と、前記甲部の一側に位置する第２手指部を備え、前記掌面が掌部と、前記掌部の一側に位置する第１手指部を備え、前記結合区域が前記第２手袋部材に位置する。
【００１１】
上述の技術的特徴に基づき、前記結合区域に粘着層が設置される。
【００１２】
上述の技術的特徴に基づき、前記結合区域が高周波またはプレスで前記第１手袋部材と前記第２手袋部材を結合する。
【図面の簡単な説明】
【００１３】
【図１Ａ】本発明の実施例１を示す手袋の分解平面図である。
【図１Ｂ】本発明の実施例１を示す手袋の斜視図である。
【図１Ｃ】本発明の実施例１を示す手袋の断面図である。
【図２】本発明の実施例２を示す手袋の分解平面図である。
【図３】本発明の実施例３を示す手袋の分解平面図である。
【図４】本発明の実施例４を示す手袋の分解平面図である。
【図５】本発明の実施例５を示す手袋の断面図である。
【図６Ａ】本発明の実施例６を示す手袋の分解平面図である。
【図６Ｂ】本発明の実施例６を示す手袋の断面図である。
【図７Ａ】本発明の実施例に係る手袋の製造の流れを示す外観図である。
【図７Ｂ】本発明の実施例に係る手袋の製造の流れを示す外観図である。
【図７Ｃ】本発明の実施例に係る手袋の製造の流れを示す斜視図である。
【図８】本発明の実施例７を示す手袋の要部断面図である。
【図９】本発明の実施例８を示す手袋の要部断面図である。
【発明を実施するための形態】
【００１４】
以下、本発明の実施例を図面に基づいて詳細に説明する。
【実施例１】
【００１５】
図１Ａ、図１Ｂに本発明の実施例１に係る手袋の構造を示す。
本発明の手袋は第１手袋部材、第２手袋部材を備え、図に示す実施例において、前記第１手袋部材が例えば掌面１０であり、前記第２手袋部材が甲面２０であり、前記掌面１０が掌部１１と、前記掌部１１の一側に位置する第１手指部を備え、そのうち、前記第１手指部は親指１２、人差し指１３、中指１４、薬指１５、小指１６を含み、かつ前記掌部１１の一側から一体として延伸され、即ち、第１手袋部材は単一の裁断片から構成される。
前記甲面２０は甲部２１と、前記甲部２１の一側に位置する第２手指部を備え、そのうち、前記第２手指部は甲側親指２２、甲側人差し指２３、甲側中指２４、甲側薬指２５、甲側小指２６を含み、かつ前記甲部２１の一側から一体として延伸されて成り、即ち、第２手袋部材は単一の裁断片から構成される。本実施例において、前記第１手指部、第２手指部は全指型であるが、当然半指型としてもよい。
【００１６】
そのうち、同時に図１Ｃに示すように、前記甲面２０は前記掌面１０の一側に重ねられ、前記第１手袋部材の掌面１０は相対する第１内側表面１０１と第１外側表面１０２を備え、前記第２手袋部材の甲面２０は相対する第２内側表面２０１と第２外側表面２０２を備え、かつ前記第１内側表面１０１と第２内側表面２０１が収容空間Ｓを形成する。前記第２内側表面２０１の少なくとも一部分が結合区域２７で前記第１外側表面１０２に粘着され、そのうち、前記結合区域２７は前記第２手袋部材の甲面２０の辺縁に位置してもよく、例えば、前記辺縁と前記第２手袋部材の甲面２０の端面距離は０ｃｍより大きく、５ｃｍ以下である。かつ結合区域２７で第１手袋部材の掌面１０及び第２手袋部材の甲面２０を粘着し、人間工学に則した立体構造を形成する。上述の結合区域には粘着層を設けてもよく（図示しない）、前記粘着層は、ポリウレタン（Ｐｏｌｙｕｒｅｔｈａｎｅ、略称ＰＵ）、ポリアクリレート（ａｃｒｙｌａｔｅ）等の粘着性を持つ材質としてもよく、接着フィルムの貼付または接着糊を塗布する方式で付着でき、前記粘着層が前記甲面２０と前記掌面１０の粘着固定を構成する。当然、高周波またはホットプレスあるいはコールドプレス方式で粘着固定を構成してもよい。
【実施例２】
【００１７】
上述の第１手袋部材は少なくとも１つの裁断片を備える。または、前記第２手袋部材は少なくとも１つの裁断片を備える。図２に示す実施例２のように、前記掌面１０は掌部１１と、前記掌部１１の一側に位置する第１手指部を備え、そのうち、前記第１手指部は親指１２、人差し指１３、中指１４、薬指１５、小指１６を含み、かつ前記掌部１１の一側から一体として延伸されて成り、即ち、前記第１手袋部材は単一の裁断片１０ａから構成され、前記第２手袋部材は２枚の裁断片２０ｂを備えている。
【実施例３】
【００１８】
図３に示す実施例３のように、前記第１手袋部は２枚の裁断片１０ａから構成され、前記第２手袋部材は２枚の裁断片２０ｂを備えている。
【実施例４】
【００１９】
図４に示す実施例４では、前記手袋は第１手袋部材、第２手袋部材を備え、図に示す実施例において、前記第１手袋部材は掌面であり、前記第２手袋部材は甲面である。前記第１手袋部材と第２手袋部材間は連接部２８を介して一体として連接され、前記第１手袋部材は単一の裁断片１０ａから構成され、前記第２手袋部材は単一の裁断片２０ｂから構成され、結合区域により前記甲面と前記掌面が粘着固定され、図１ｂの手袋１００を形成することができる。
【実施例５】
【００２０】
図５に示す実施例５では、本発明の手袋は第１手袋部材、第２手袋部材を備え、前記第１手袋部材は例えば掌面１０であり、前記第２手袋部材は例えば甲面２０である。前記第１手袋部材は相対する第１内側表面１０１と第１外側表面１０２、及び前記第１内側表面１０１と第１外側表面１０２の間に位置する第１切断面１０３を備えている。前記第２手袋部材は相対する第２内側表面２０１と第２外側表面２０２、及び前記第２内側表面２０１と第２外側表面２０２の間に位置する第２切断面２０３を備え、前記第１切断面１０３は結合区域２７で前記第２切断面２０３に粘着される。上述の結合区域には粘着層を設けてもよく（図示しない）、前記粘着層は、ポリウレタン（Ｐｏｌｙｕｒｅｔｈａｎｅ、略称ＰＵ）、ポリアクリレート（ａｃｒｙｌａｔｅ）等の粘着性を持つ材質としてもよく、接着フィルムの貼付または接着糊を塗布する方式で付着でき、前記粘着層が前記第１手袋部材、第２手袋部材の粘着固定を構成する。当然、高周波またはホットプレスあるいはコールドプレス方式で粘着固定を構成してもよい。
【実施例６】
【００２１】
図６Ａに示す実施例６では、前記手袋は第１手袋部材、第２手袋部材と、少なくとも１つの第３手袋部材を備え、この例では第３手袋部材は辺縁ストリップ４０であり、図に示す実施例において、前記第１手袋部材は掌面１０、前記第２手袋部材は甲面２０であり、かつ３つの辺縁ストリップ４０を備え、前記掌面１０及び甲面２０の間に配置される。同時に図６Ｂに示すように、前記第１手袋部材の第１内側表面１０１と第２手袋部材の第２内側表面２０１が収容空間Ｓを形成し、前記少なくとも１つの辺縁ストリップ４０の二側がそれぞれ結合区域４１で前記第１手袋部材、第２手袋部材に粘着される。例えば、前記辺縁ストリップ４０の一側の辺縁が粘着方式で前記掌面１０の少なくとも一部分（図では第１外側表面１０２を例とする）に連接され、前記辺縁ストリップ４０の他方の一側の辺縁が粘着方式で前記甲面２０の少なくとも一部分（図では第２外側表面２０２を例とする）に連接される。前記辺縁と前記辺縁ストリップの端面距離は０ｃｍより大きく５ｃｍ以下である。当然、前記辺縁ストリップの一側の辺縁は粘着方式で前記掌面の第１内側表面に連接され、前記辺縁ストリップの他方の一側の辺縁は粘着方式で前記甲面の第２内側表面に粘着される。
【００２２】
そのうち、前記第１手指部の親指１２、人差し指１３、中指１４、薬指１５、小指１６は前記掌部１１の一側から一体として延伸され、即ち、第１手袋部材は単一の裁断片１０ａから構成される。前記甲面２０は甲部２１と、前記甲部２１の一側に位置する第２手指部を備え、そのうち、前記第２手指部は甲側親指２２、甲側人差し指２３、甲側中指２４、甲側薬指２５、甲側小指２６を含み、かつ前記甲部２１の一側から一体として延伸されて成り、即ち、第２手袋部材は単一の裁断片２０ｂから構成される。当然、実施例６において、前記第１手袋部材には少なくとも１つの裁断片を設ける、あるいは前記第２手袋部材には少なくとも１つの裁断片を設けることもできる。
【００２３】
さらに、上述の実施例において、前記第１手袋部材は掌面、前記第２手袋部材は甲面である。また、前記第１手袋部材は甲面、前記第２手袋部材は掌面に変え、前記結合区域も前記掌面に位置してもよく、同様に本発明の目的及び効果を達することができる。
【００２４】
以下では本発明の手袋に用いることができる各種製造方法を提供する。
【００２５】
１つ目の製造方法は、実施例６の手袋の製造を例として、少なくとも次の工程を含む。
【００２６】
（ａ）少なくとも１つの部材モールド５１を用意する。図７Ａに示すように、前記部材モールド５１は少なくとも１つの第１固定部材（図示しない）が設けられ、前記辺縁ストリップの固定に用いることができ、前記辺縁ストリップの辺縁に粘着性を持つ材料を設置し（例えば接着フィルムの貼付または接着糊を塗布する方式で付着）が設置され、前記部材モールド５１に少なくとも第２固定部材５１１が設けられる。そのうち、前記第１固定部材は磁性吸着部材（例えば磁石）、掛け釘、スライダ、ばねとしてもよい。
【００２７】
（ｂ）掌面１０を用意する。図６Ａに示すように、前記第１手指部の親指１２、人差し指１３、中指１４、薬指１５、小指１６は前記掌部１１の一側から一体として延伸される。
【００２８】
（ｃ）少なくとも１つの部材ベース５２を用意する。図７Ｂに示すように、前記部材ベース５２の一側に前記甲面を収容できる収容部５２１が設けられ、前記収容部５２１は前記甲面に対応する外形構造を備えている。そのうち、例えば、前記部材ベースは各辺縁ストリップと甲面の第２手指部をそれぞれ粘着するため、前記収容部はそれぞれ甲側人差し指及び甲側中指の外型、甲側中指及び甲側薬指の外型、甲側薬指及び甲側小指の外型とすることができる。かつ前記収容部５２１は前記部材ベース５２に凹陥した構造体とすることができ、また前記モールドベースから突出した構造体とすることもできる。前記部材ベース５２は少なくとも１つの第３固定部材５２２を備え、前記部材モールドの第２固定部材と相互に対応させることができる。
【００２９】
（ｄ）甲面と各辺縁ストリップを結合し、甲面を前記部材ベース上に置いて、辺縁ストリップを粘着したい部位を収容部の箇所に相対させ、粘着したい辺縁ストリップを固定した部材モールドを前記部材ベース上に置き、プレス方式で前記甲面と辺縁ストリップを相互に結合する。工程ｄを利用して３つの辺縁ストリップと甲面の粘着固定をそれぞれ完了する。
【００３０】
（ｅ）前記掌面と甲面を結合し、手型モールド５３及び手型モールドベース５４を提供する。図７Ｃに示すように、前記手型モールド５３は前記甲面に対応する外型を備え、かつ第２手指部に位置するＹ字部５３１を備え、前記手型モールドベース５４は掌面に対応する外型を備え、上述の完成した甲面を前記手型モールド５３の下に置き、前記複数のＹ字部５３１から辺縁ストリップの辺縁を直立させ、前記掌面を前記手型モールドベース５４上に置き、さらに辺縁ストリップを設置した甲面を前記手型モールドベース５４上に重ねて置き、前記Ｙ字部５３１から前記辺縁ストリップの辺縁を直立させ、前記複数の辺縁ストリップの直立させた部分を前記掌面に粘着固定し、最後に離型すると本発明の手袋が完成する。
【００３１】
２つ目の製造方法の工程は、１つ目の製造方法とほぼ同じであるが、異なるのは、２つ目の製造方法はさらに自動輸送装置を前記あらかじめ成型された掌面及び甲面または辺縁ストリップの輸送に提供する点であり、かつ前記自動輸送装置は第１作業ステーションに設置され、粘着性を持つ材料の設置を行い、例えば接着フィルムの貼付または接着糊を塗布する方式、あるいは設置スプレー式糊付機で糊付けを行って、厚さが０.５〜０.９mm及び幅が２〜８mmの接着剤層を形成する。さらに第１作業ステーションの後に第２作業ステーションを設置し、前記第２作業ステーションでは加熱プロセスを行い、粘着性を持つ材料が設置された複数の手袋部材に対して加熱を行う。そのうち、オーブン方式を利用して加熱を行うことができ、その加熱温度は摂氏５０〜７０度としてもよく、そのうち摂氏６０度が最も好ましい。
【００３２】
さらに、前記第２作業ステーションの後に第３作業ステーションを設置し、前記第３作業ステーションでは上述の工程（ｄ）を実行して甲面と辺縁ストリップを相互に粘着させる。粘着時は簡単なプレスで完了することができ、例えばプレス機で約５〜１５秒のプレスを行い、さらに順に上述の工程（ｅ）を実行して掌面と甲面を結合させ、最後に離型して本発明の手袋が完成される。
【００３３】
３つ目の製造方法は、実施例１の手袋の製造を例とすると、少なくとも、手型モールドと手型モールドベースを提供する工程を含み、掌面と甲面の外型を備え、掌面を前記手型モールドベースの上に置き、前記甲面を前記手型モールドの下に置いて、甲面の辺縁の結合区域を手型モールドの側面から直立させ、粘着したい部位に粘着性を持つ材料を設置し（例えば接着フィルムの貼付または接着糊を塗布する方式で付着）、プレスを実行して貼り合わせ、掌面と甲面を相互に粘着固定することができる。
【００３４】
このほか、上述の実施例においては、第１手袋部材の第１内側表面と第２手袋部材の第２内側表面が収容空間を形成することを例として、使用者が手を入れることができる収容空間を形成している。当然、本発明を利用して手袋の半製品を製造してもよく、図８に示すように、同様に前記第１手袋部材の第１外側表面１０２を利用して結合区域２７で前記第２手袋部材の第２内側表面２０１に粘着するが、第１内側表面１０１と第２内側表面２０１が収容空間を形成するとは限らない。あるいは、図９に示すように、前記第３手袋部材の辺縁ストリップ４０を利用して結合区域２７で前記第１手袋部材または第２手袋部材に粘着する。
【００３５】
さらに、上述の実施例において、少なくとも１つの第１手袋部材、第２手袋部材を相互に粘着して形成した手袋は、さらに別の結合区域で手袋芯の外に粘着してもよい。当然，前記手袋が包み込む形式で手袋芯の一側から手袋芯の他方の一側まで被覆し、立体的で人間工学に則した構造を形成することができる。また上述の別の結合区域には粘着層を設けてもよく（図示しない）、前記粘着層は、ポリウレタン（Ｐｏｌｙｕｒｅｔｈａｎｅ、略称ＰＵ）、ポリアクリレート（ａｃｒｙｌａｔｅ）等の粘着性を持つ材質としてもよく、接着フィルムの貼付または接着糊を塗布する方式で付着でき、前記粘着層が前記手袋と前記手袋芯の粘着固定を構成する。当然、高周波またはホットプレスあるいはコールドプレス方式で粘着固定を構成してもよい。
【００３６】
このほか、上述の実施例において、前記手袋表面に少なくとも１つの装飾部が設置され、例えば装飾糸を装飾部として手袋表面の少なくとも１つの辺縁箇所に設けてもよく、前記装飾糸が使用者に縫製済みという感覚を与える。
【符号の説明】
【００３７】
Ｓ        収容空間
１０      掌面
１０ａ    裁断片
１０１    第１内側表面
１０２    第１外側表面
１０３    第１切断面
１１      掌部
１２      親指
１３      人差し指
１４      中指
１５      薬指
１６      小指
２０      甲面
２０ｂ    裁断片
２０１    第２内側表面
２０２    第２外側表面
２０３    第２切断面
２１      甲部
２２      甲側親指
２３      甲側人差し指
２４      甲側中指
２７      結合区域
２８      連接部
４０      辺縁ストリップ
４１      結合区域
５１      部材モールド
５１１    第２固定部材
５２      部材ベース
５２１    収容部
５２２    第３固定部材
５３      手型モールド
５３１    Ｙ字部
５４      手型モールドベース
【手続補正２】
【補正対象書類名】特許請求の範囲
【補正対象項目名】全文
【補正方法】変更
【補正の内容】
【特許請求の範囲】
【請求項１】
手袋であって、少なくとも、
相対する第１内側表面と第１外側表面を備えた第１手袋部材と、
相対する第２内側表面と第２外側表面を備えた第２手袋部材と、
前記第１手袋部材と前記第２手袋部材の間に位置する第３手袋部材と、
を含み、そのうち、前記第３手袋部材の一側がそれぞれ結合区域で前記第１手袋部材と前記第２手袋部材に粘着され、前記第３手袋部材の一側の辺縁が粘着により前記第１手袋部材の少なくとも一部分に連接され、前記第３手袋部材の一側の別の辺縁が粘着により前記第２手袋部材の少なくとも一部分に連接され、かつ前記辺縁が直立され、
そのうち、前記１手袋部材が掌面、前記２手袋部材が甲面であることを特徴とする、手袋。
【請求項２】
手袋であって、少なくとも、
相対する第１内側表面と第１外側表面を備えた第１手袋部材と、
相対する第２内側表面と第２外側表面を備えた第２手袋部材と、
前記第１手袋部材と前記第２手袋部材の間に位置する第３手袋部材と、
を含み、そのうち、前記第１内側表面と前記第２内側表面が収容空間を形成し、そのうち、前記第３手袋部材の一側がそれぞれ結合区域で前記第１手袋部材と前記第２手袋部材に粘着され、前記第３手袋部材の一側の辺縁が粘着により前記第１手袋部材の少なくとも一部分に連接され、前記第３手袋部材の一側の別の辺縁が粘着により前記第２手袋部材の少なくとも一部分に連接され、かつ前記辺縁が直立され、
そのうち、前記１手袋部材が掌面、前記２手袋部材が甲面であることを特徴とする、手袋。
【請求項３】
前記第１手袋部材と前記第２手袋部材間が連接部を介して一体として連接されることを特徴とする、請求項１または２に記載の手袋。
【請求項４】
前記第１手袋部材が少なくとも１つの裁断片を備える、または、前記第２手袋部材が少なくとも１つの裁断片を備えることを特徴とする、請求項１または２に記載の手袋。
【請求項５】
前記手袋が手袋芯に粘着されることを特徴とする、請求項１または２に記載の手袋。